(57)【要約】【課題】口具の直立姿勢がより好適に保持される包装袋を提供する。【解決手段】袋本体１０は、一対の側面シート１２と、側面シート１２の間に配置された底面シート１１とからなり、上部に口具２０を備える。カバー３０は、袋本体１０を上面視で丸めるように屈曲させて収容し、カバー３０の上部３１は、側面シート１２が接着される口具２０のシート接着部２５を収容している。【選択図】図１
2015189474.tif 000002
【特許請求の範囲】
【請求項１】
シート材を、該シート材の間に口具を介在させて接着してなる袋本体と、前記袋本体の両側部が接近するように屈曲させて該袋本体を収容するカバーとを備える包装袋であって、
前記袋本体の前記口具は、前記シート材が接着されるシート接着部を形成し、前記カバーの上部は、前記口具の前記シート接着部を収容している包装袋。
【請求項２】
前記口具は、フランジを形成し、前記カバーの上部は、その端縁が前記フランジに当接している請求項１に記載の包装袋。
【請求項３】
前記袋本体と前記カバーとは、前記袋本体の下縁と前記カバーの下縁とが同じ上下位置か、又は、前記カバーの下縁が前記袋本体の下縁よりも下方へ延出するように配設している請求項１又は請求項２に記載の包装袋。
【発明の詳細な説明】
【技術分野】
【０００１】
本発明は、口具を備える包装袋に関する。
【背景技術】
【０００２】
近年、プラスチックボトルやガラス瓶等のボトル容器に代えて、樹脂シートを袋状に形成した包装袋が容器として使用されている。樹脂シートから形成される包装袋は、プラスチックボトルやガラス瓶等のボトル容器に比べて省資源化が可能であり、また使用後に小さく折り畳むことができるため、ごみの減容化にも寄与する。
【０００３】
上記包装袋としては、例えば特許文献１に開示される包装袋が知られている。特許文献１の包装袋は、底面シートと一対の側面シートとからなり、二つ折りにした底面シートを一対の側面シートの間に挟み込ませた状態として、底面シート及び側面シートの各縁部を接着することにより袋状に形成されている。包装袋の上部には一対の側面シート間に口具が設けられ、この口具から内容物の取出が可能となっている。
【先行技術文献】
【特許文献】
【０００４】
【特許文献１】特開２０１３−１２１８４４号公報
【発明の概要】
【発明が解決しようとする課題】
【０００５】
ところで、上記包装袋は樹脂シートから形成されていることから、剛性が低く変形させやすいという性質を有する。こうした性質を有する上記包装袋には、廃棄時に空の包装袋を小さく折り畳むことができる等の利点がある一方で、内容物が取出されるにつれて、口具が真上を指向することが難しくなり、傾きがちになるという問題もある。
【０００６】
この発明は、こうした従来の実情に鑑みてなされたものであり、その目的は、内容物の残量に左右されることなく、口具の直立姿勢がより好適に保持される包装袋を提供することにある。
【課題を解決するための手段】
【０００７】
上記の目的を達成するために請求項１に記載の包装袋は、シート材を、該シート材の間に口具を介在させて接着してなる袋本体と、前記袋本体の両側部が接近するように屈曲させて該袋本体を収容するカバーとを備える包装袋であって、前記袋本体の前記口具は、前記シート材が接着されるシート接着部を形成し、前記カバーの上部は、前記口具の前記シート接着部を収容していることを特徴とする。この構成では、袋本体を屈曲させるようにして収容するカバーの上部が口具のシート接着部も収容することとなるため、口具の直立姿勢をより好適に保持する。
【０００８】
上記包装袋において、前記口具は、フランジを形成し、前記カバーの上部は、その端縁が前記フランジに当接していることが好ましい。この構成では、カバーの上部は口具のシート接着部を収容しつつ、その端縁がフランジに当接しているため、口具の直立姿勢の保持状態が安定化する。
【０００９】
上記包装袋において、前記袋本体と前記カバーとは、前記袋本体の下縁と前記カバーの下縁とが同じ上下位置か、又は、前記カバーの下縁が前記袋本体の下縁よりも下方へ延出するように配設していることが好ましい。この構成では、包装袋を載置面に立てた場合、口具の直立姿勢の保持に関する負荷がカバーを介して載置面に作用する。したがって、口具の直立姿勢の保持状態が安定化する。
【発明の効果】
【００１０】
本発明の包装袋によれば、内容物の残量に左右されることなく、口具の直立姿勢がより好適に保持される。
【図面の簡単な説明】
【００１１】
【図１】（ａ）は包装袋の斜視図、（ｂ）は包装袋の上部正面図、（ｃ）は包装袋の底面図。
【図２】袋本体の分解斜視図。
【図３】カバーに収容される前の袋本体の斜視図。
【図４】カバーの一実施形態を示す斜視図。
【図５】変更例のカバーを示す斜視図。
【図６】変更例のカバーを示す斜視図。
【図７】変更例の袋本体がカバーに収容された状態を示す正面図。
【図８】袋本体がカバーに収容された状態の変更例を示す包装袋の底面図。
【発明を実施するための形態】
【００１２】
以下、本発明の包装袋を図面に基づいて説明する。
図２に示すように、包装袋は、シート材としての樹脂シートにより袋状に形成される袋本体１０を備えている。袋本体１０を構成する樹脂シートとしては、包装袋に一般的に用いられる公知の樹脂シート（例えば、ポリエチレン、エチレン−酢酸ビニル共重合体、エチレン−ビニルアルコール共重合体、ポリアミド、及びポリエステル等からなる単層又は多層の樹脂シート）を用いることができる。本実施形態では、シート材として、一方側の表面のみに熱溶着性樹脂からなる熱溶着層を有する樹脂シートを用いている。
【００１３】
図２に示すように、袋本体１０は、折辺Ａが上方を向くように上下に二つ折りにされた横長長方形状の底面シート１１と、その底面シート１１を挟み込むように対向して配置された一対の側面シート１２とを備えている。底面シート１１は、熱溶着層を有する側の面が外面側に位置する（外側を向く）ようにして二つ折りにされている。二つ折りにされた底面シート１１の両側部には、半円形状の切欠部１１ａが設けられている。
【００１４】
図２に示すように、一対の側面シート１２は、共に長四角形状に形成され、熱溶着層を有する側の面を向かい合わせるようにして対向配置されている。そして、その側面シート１２の下縁に沿って、底面シート１１が配置されている。底面シート１１及び側面シート１２の左右方向（折辺方向）の長さは等しくなっている。
【００１５】
図３に示すように、袋本体１０の下部、即ち側面シート１２の間に底面シート１１が配置されている部位には、側面シート１２と底面シート１１とを熱溶着してなる下部接着部１３が設けられている。下部接着部１３は、上下方向において円弧状に凹んだ曲線Ｂと側面シート１２の各縁部（左縁、右縁及び下縁）とによって囲まれた領域にて、側面シート１２の内面と底面シート１１の外面とを接着している。
【００１６】
図３に示すように、袋本体１０の両側部には、側面シート１２の左右の両側縁に沿って、側面シート１２同士を所定幅で熱溶着してなる側部接着部１４が設けられている。側部接着部１４は、側面シート１２の間に底面シート１１が挟まれていない部分においては、側面シート１２の内面同士を接着する。そして、側面シート１２の間に底面シート１１が挟まれている部分においては、側面シート１２の内面と底面シート１１の外面とを接着する。なお、底面シート１１の切欠部１１ａにおいては、側面シート１２の内面同士を接着する。
【００１７】
図３に示すように、袋本体１０の上部には、側面シート１２の上縁に沿って、側面シートの内面同士を所定幅で熱溶着してなる上部接着部１５が設けられている。上部接着部１５の中央部分には、取出口となる口具２０が接着されて一体に取り付けられている。口具２０は内部に流路を形成し、上端側及び下端側をともに開放された円筒状の注出部２１と、注出部２１の上端側の開口を塞ぐキャップ２２とから構成されている。
【００１８】
図３に示すように、注出部２１は、その外周面の下部位置に、口具２０を一対の側面シート１２の上部に取り付けるための取付部２３が突設されている。取付部２３は注出部２１から側方に突出する略菱形板状のフランジ２４と、このフランジ２４の下面からフランジ２４の周縁に沿うように垂下されるシート接着部２５とから形成され、その内部が中空状となっている。中空状の取付部２３内には、取付部２３先端から注出部２１の外周面へ延びる補強部が設けられている。口具２０は、シート接着部２５が側面シート１２間に挟まれるようにして配置され、上部接着部１５において、シート接着部２５の外周面と側面シート１２の内面とが熱溶着されることによって取り付けられている。また、図２に示すように、注出部２１の外周面の上部位置には、キャップ２２との係合部位としての雄螺子２６が設けられている。
【００１９】
図４に示すように、カバー３０は、側面視略台形状をなす筒体であって、シート材としての樹脂シートによって形成されている。カバー３０は、袋本体１０の樹脂シートよりも硬質で扇形状をなす樹脂シートから構成され、両側縁には、その側縁に沿って所定幅を有する接着代３５が形成されている。この樹脂シートを二つ折りし、さらに、一方の接着代３５の内面と他方の接着代３５の外面とを熱溶着などによって接着することによってカバー３０は筒状をなしている。そのため、他方の接着代３５は、カバー３０の内側に沿って配置されている。カバー３０は、上部３１に形成された上開口３２と下部３３に形成された下開口３４を有し、その断面積は上開口３２側ほど小さくなるように形成されている。なお、接着代３５の接着は、超音波溶着による接着でも、接着剤による接着でも公知の接着法によって実施が可能である。
【００２０】
図１（ａ）〜（ｃ）に示すように、カバー３０は、側部接着部１４に沿って袋本体１０の両側部を接近させるようにして、袋本体１０を収容している。カバー３０に収容された袋本体１０は、その両側部が一対の側面シート１２のうち互いに同じ側面シート１２側へ屈曲されて、上面視略Ｃ字状に屈曲されている。カバー３０の上部３１は、袋本体１０の側面シート１２の両側部を屈曲させて保持しつつ、口具２０のシート接着部２５を収容するように配置されている。また、カバー３０の上部３１は、その端縁としての上縁３６が口具２０のフランジ２４の下面に当接するように配置されている。カバー３０の上開口３２は、その内周長が口具２０のシート接着部２５の外周長と、袋本体１０の側面シート１２の厚みとを考慮して設定されている。カバー３０の下縁３７は、カバー３０の下部３３によって屈曲して保持された袋本体１０の底面シート１１及び側面シート１２の下縁より下方へ延出するように形成されている。したがって、包装袋を載置面に立たせたときにはカバー３０の下縁３７が載置面に接触することになる。また、カバー３０の下開口３４は、その内周長が底面シート１１の大きさを考慮して設定されている。
【００２１】
次に、本実施形態の作用及び効果について説明する。
（１）袋本体１０は、カバー３０の下開口３４から挿入されると、袋本体１０の側部が上面視において丸められた形状となるように屈曲されてカバー３０内に収容される。口具２０の上端側がカバー３０の上開口３２から抜け出ると、カバー３０の上部３１は、口具２０のシート接着部２５を収容するように配置される。このとき、側面シート１２の両側部の、屈曲状態から元の状態に戻ろうとする復元力がカバー３０の上部３１内面に作用する。したがって、口具２０は、カバー３０の上部３１によって袋本体１０の前後方向においても左右方向においても位置が固定され、袋本体１０の内容物の残量が減少したとしても、口具２０の直立姿勢がより好適に保持される。
【００２２】
（２）口具２０の注出部２１にはフランジ２４が形成され、カバー３０が袋本体１０を収容すると、その上部３１の上縁３６はフランジ２４の下面に当接する。口具２０のフランジ２４がカバー３０の上縁３６によって支持されていることから、口具２０の直立姿勢の保持状態を安定化させることができる。
【００２３】
（３）カバー３０の下縁３７は、袋本体１０の底面シート１１及び側面シート１２の下縁よりも下方へ延出するように配置される。包装袋を載置面に立てた場合、口具２０の直立姿勢の保持に関する負荷がカバー３０を介して載置面に作用することとなる。したがって、口具２０の直立姿勢の保持状態を安定化させることができる。
【００２４】
（４）側面シート１２の両側部が一対の側面シート１２のうち同じ側面シート１２の側へ屈曲されているため、口具２０も同じ側面シート１２の側へ傾倒しがちになる。図１（ｃ）でいえば、図面の上側へ傾倒しがちになる。しかし、カバー３０が袋本体１０を収容し、口具２０の直立姿勢がより好適に保持されるため、口具２０の傾倒が抑制される。
【００２５】
（５）カバー３０の上開口３２は、その内周長が口具２０のシート接着部２５の外周長を考慮した所定の長さに設定されている。したがって、屈曲する側面シート１２の両側部を含め、口具２０のシート接着部２５を適切に締め付けることとなり、さらに、カバー３０は、口具２０の直立姿勢の保持に貢献する。
【００２６】
なお、本実施形態は、次のように変更して具体化することも可能である。また、次の変更例を互いに組み合わせ、その組み合わせの構成のように上記実施形態を変更することも可能である。
【００２７】
・  たとえば、カバー３０の構成を変更してもよい。図５に示すように、一対のシート材の両側縁に接着代３５を形成し、これら接着代３５の対向面を接着して筒状のカバー３０を構成してもよい。また、図６に示すように、両側縁に形成された接着代３５の内面同士を接着し、互いに接着された接着代３５がカバー３０の外側に突出するように構成してもよい。また、たとえば、図５に示すカバー３０の場合、側縁を囲みつつ、該側縁に沿って延びる補強材を射出形成することで、カバー３０の上下方向の補強をすることも可能である。
【００２８】
・  袋本体１０の全体形状はとくに限定されない。たとえば、図７に示すように、側面シート１２の上縁に傾斜縁が含まれるように構成し、その傾斜縁に沿って口具２０を接着するようにしてもよい。袋本体１０の上部接着部１５は、この傾斜縁に対応する傾斜部分も含めて構成されることになる。この場合、口具２０の直立状態とは、傾斜縁と直交する方向を指向している状態をいうことになる。そして、カバー３０の形状も袋本体１０に合わせて変更すればよく、カバー３０の上開口３２は側面シート１２の上縁の傾斜縁に沿って形成されることになる。こうした構成の袋本体１０においても、カバー３０に収容されると、側面シート１２の両側部が屈曲されて上面視において丸められた形状となる。図７に示す構成においても、口具２０のシート接着部２５はカバー３０の上部３１に収容され、カバー３０の上縁３６に含まれる傾斜縁は口具２０のフランジ２４の下面に当接している。なお、カバー３０の上縁３６とは、カバー３０の最上部の端縁だけでなく、カバー３０の上部３１の端縁に対応するものを意味している。
【００２９】
・  たとえば、底面シート１１を省略して袋本体１０を一対の側面シート１２で構成することも可能である。こうした袋本体１０の構成でも、カバー３０内に上面視で丸められた形状となるように屈曲されて収容されれば、カバー３０との協働によって自立性も確保できる。
【００３０】
・  たとえば、側面シート１２の側部の屈曲幅を変更してもよい。図７に示すように、側面シート１２の一方の側部の屈曲幅を大きくし、他方の側部の屈曲幅を小さくしてもよい。また、一方の側部のみを屈曲させ、他方の側部を屈曲させることなく袋本体１０をカバー３０内に収容するようにしてもよい。
【００３１】
・  たとえば、側面シート１２の屈曲態様を変更することも可能である。図８に示すように、一対の側面シート１２のうち、一方の側面シート１２の側に一方の側面シート１２の側部を屈曲させ、他方の側面シート１２の側に他方の側面シート１２の側部を屈曲させるようにして、側面シート１２の両側部を接近させるようにしてもよい。この場合、上面視でＳ字状をなすように丸められた形状をなすこととなる。
【００３２】
・  カバー３０内に収容された袋本体１０の屈曲について、その上下方向における範囲はとくに限定されない。たとえば、カバー３０の下部３３に収容される袋本体１０の下部については、屈曲しないように収容することも可能である。
【００３３】
・  たとえば、口具２０の構成として、特開２０１３−２５２９００号に示すような逆止弁機構を備えるものに変更することも可能である。とくにこうした逆止弁機構付の口具２０の場合、内容物の残量が減少するにつれて側面シート１２同士が接近して袋本体１０の自立性が失われかねない。しかし、袋本体１０を屈曲させつつカバー３０内に収容することによって、その自立性がより好適に確保できる。
【００３４】
・  たとえば、口具２０の取付部２３の構成はとくに限定されない。フランジ２４を円板状や四角板状に形成することも可能であり、また、シート接着部２５についても、その周面が円環状であったり四角環状であったりしてもよい。
【００３５】
・  たとえば、カバー３０の下縁３７とカバー３０の下部３３によって屈曲して保持された袋本体１０の底面シート１１及び側面シート１２の下縁とが同じ上下位置となるようにカバー３０を配置してもよい。この場合、載置面に包装袋を立てると、カバー３０の下縁３７と袋本体１０の底面シート１１及び側面シート１２の下縁とが載置面に接触するようになる。また、袋本体１０の底面シート１１及び側面シート１２の下縁がカバー３０の下縁３７より下方へ延出するように形成してもよい。この場合、載置面に包装袋を立てると、袋本体１０の底面シート１１及び側面シート１２の下縁とが載置面に接触し、カバー３０の下縁３７は、載置面から離間することとなる。
【００３６】
・  たとえば、カバー３０の上部３１の内周面が口具２０のフランジ２４の周面に当接するようにしてもよい。このようにしても、口具２０の直立姿勢の保持状態が安定化する。
【００３７】
・  たとえば、カバー３０の上縁３６が口具２０のフランジ２４から離間するように配置されてもよい。この場合であっても、カバー３０の上部３１が口具２０のシート接着部２５を収容するように構成していれば、口具２０の直立姿勢がより好適に保持される。とくに、シート接着部２５の上下方向のすべてをカバー３０の上部３１が収容するのがよいが、シート接着部２５の上下方向の少なくとも一部がカバー３０の上部３１に収容されれば、口具２０の直立姿勢はより好適に保持される。
【００３８】
・  たとえば、袋本体１０について、カバー３０内に収容される前に、側面シート１２の両側部が互いに接近するように屈曲した屈曲状態が保持されるように袋本体１０を構成することも可能である。両側の側部接着部１４同士を接着したり、側部接着部１４がそれぞれ屈曲されて接着したりして袋本体１０の屈曲が保持された状態で、カバー３０内に収容されるようにしてもよい。
【００３９】
・  上記実施形態では、袋本体１０を構成するシート材として樹脂シートを用いたが、樹脂シート以外のシート材、例えば、アルミ箔や紙等をラミネート加工してなるシート材を用いてもよい。この点は、カバー３０も同様である。
【００４０】
上記実施形態及び別例から把握できる技術的思想について記載する。
（イ）  シート材を、該シート材の間に口具を介在させつつ接着してなる袋本体について、その両側部が接近するように屈曲させて収容するとともに、筒状に形成されたカバーであって、前記カバーの上部は、前記口具の、前記シート材が接着される前記シート接着部を収容しているカバー。
【００４１】
（ロ）  カバーの上部の端縁は、袋本体の収容時に、口具に形成されたフランジに当接するカバー。
【符号の説明】
【００４２】
１０…袋本体、１２…シート材としての側面シート、２０…口具、２４…フランジ、２５…シート接着部、３０…カバー、３１…上部、３６…端縁としての上縁、３７…下縁。
【図１】
2015189474.tif 000003
【図２】
2015189474.tif 000004
【図３】
2015189474.tif 000005
【図４】
2015189474.tif 000006
【図５】
2015189474.tif 000007
【図６】
2015189474.tif 000008
【図７】
2015189474.tif 000009
【図８】
2015189474.tif 000010